(57)【要約】      （修正有）【課題】家屋を断熱材で二重に包む工法により、二重断熱材の間に静止空気層を設けて屋内の温度変化を少なくし、二台の空調機で効率的に空調する二重断熱構造家屋を提供する。【解決手段】断熱材で包む工法により断熱処理された家屋１であって、家屋１の屋根３と外壁２と基礎４は、表層断熱材Ｐ１と下地断熱材Ｐ２からなる二重断熱材Ｐが配置され、且つ二重の断熱材Ｐの間に空気層を形成する。更に外壁２が隙間空間Ｅを有し、屋根３の小屋裏と天井との間の空間Ａと、基礎４の底板と床下との間の空間Ｄには、夫々エアコンＡＣ１，ＡＣ２とエアコンに接続された複数のダクト１６ａ、１６ｂを配置し、季節に応じていずれか一方のエアコンを稼働させて複数のダクト１６ａ、１６ｂから暖冷可能に送風することで、外壁２の隙間空間Ｅを介して空気を循環させて屋内全体を空調する。【選択図】図１
0003180823.tif 000002
【実用新案登録請求の範囲】
【請求項１】
断熱材で包む工法により断熱処理された家屋であって、
前記家屋の屋根と外壁と基礎は、表層断熱材と下地断熱材からなる二重断熱材が設置され、且つ前記二重断熱材の間に空気層が形成され、
更に前記外壁が隙間空間を有し、
前記屋根の小屋裏の床と天井との間の空間と、前記基礎の底板と床下との間の空間には、夫々エアコンと該エアコンに接続された複数のダクトを配置し、
季節に応じていずれか一方の前記エアコンを稼働させて前記複数のダクトから暖冷可能に送風することで、前記外壁の隙間空間を介して空気を循環させて屋内全体が空調されることを特徴とする二重断熱構造家屋。
【請求項２】
前記家屋が二階建てであって、稼働させた前記エアコンから暖冷可能に送風された空気が、二階床と一階天井との間に形成された空間を、前記外壁の隙間空間を介して循環することを特徴とする請求項１記載の二重断熱構造家屋。
【請求項３】
前記屋根に設置される前記二重断熱材は野地板と垂木の間に載置され、前記二重断熱材の前記表層断熱材と下地断熱材の間に等間隔で平行に抑え垂木が配置された空間を有し、該空間に外気を取込んで空気が循環するように形成されていることを特徴とする請求項１または請求項２記載の二重断熱構造家屋。
【請求項４】
前記小屋裏の床には、前記屋根に設置される前記下地断熱材を連続して載置することで、前記小屋裏に静止した空気を有する空間が形成されることを特徴とする請求項１または請求項２記載の二重断熱構造家屋。
【請求項５】
前記外壁と前記基礎に設置される前記二重断熱材は、前記表層断熱材と下地断熱材の間に格子状の胴縁を挟んで分割された空間を有することを特徴とする請求項１または請求項２記載の二重断熱構造家屋。
【考案の詳細な説明】
【技術分野】
【０００１】
本考案は、家屋を断熱材で二重に包む工法により、二重の断熱材の間に形成される空気層によって奏される断熱効果または伝熱効果という相反する特性を利用して、効率的に屋内の空調を行う二重断熱構造家屋に関する。
【背景技術】
【０００２】
従来から断熱処理された家屋に冷暖房用の空調機（以下、「エアコン」と記す）を配置して、室内を快適な空間にする家屋は知られている。セントラルヒーティングの場合、温水と冷水を供給するエアコン室外機に複数のパイプを接続して、家屋の部屋割りに従って配管されたパイプを通して温水や冷水が供給される。各部屋にはコンベクタ（放熱器）が設置されており、コンベクタを介して暖気や冷気が放出されて空調を行っている。
【０００３】
また、木造家屋の場合は、壁や天井に形成される間隙空間をエアコンから送風される空気の循環通路に利用し、冷気や暖気を自然対流で循環させて、温度差の少ない生活環境に適した室内の温度調整を行っている。
【０００４】
例えば、出願人の考案で、断熱処理された家屋の屋根裏と床下にエアコンを配置し、季節の変化に応じていずれか一方のエアコンを作動させて空調を行うエアコンを用いた快適居住空間を有する家屋が開示されている（例えば、特許文献１参照）。
【先行技術文献】
【特許文献】
【０００５】
【特許文献１】実用新案登録第３１５６２７５号公報
【考案の概要】
【考案が解決しようとする課題】
【０００６】
しかし、セントラルヒーティングの場合、温水や冷水の供給用設備が大型となり、且つ複雑なパイプの配管及び複数のコンベクタの設置等で、コストが高くなる課題があった。
【０００７】
また、特許文献１のエアコンを用いた快適居住空間を有する家屋の場合、一層の断熱材による断熱処理では、必ずしも断熱効果は十分とはいえず、特に真夏の屋根から小屋裏に伝わる熱気、外壁や基礎のコンクリートから伝わる熱気や冷気等の輻射熱を十分に遮断することができない問題があった。
【０００８】
本考案は以上の課題に鑑みてなされたもので、屋根と外壁と基礎を断熱材で二重に包む工法により家屋を二重断熱構造にし、空気が持つ相反する特性を利用して、二重断熱材の間に静止空気層を形成して外部の熱を遮断し、且つ二台のエアコンから送風される空気で屋内に自然対流を発生させ、流動する空気の伝熱効果を利用して効率的に屋内の空調を行う二重断熱構造家屋を提供することを目的とする。
【課題を解決するための手段】
【０００９】
本考案は上記の目的を達成するため、以下（１）〜（５）の構成を備えるものである。
【００１０】
（１）断熱材で包む工法により断熱処理された家屋であって、前記家屋の屋根と外壁と基礎は、表層断熱材と下地断熱材からなる二重断熱材が設置され、且つ前記二重断熱材の間に空気層が形成され、更に前記外壁が隙間空間を有し、前記屋根の小屋裏の床と天井との間の空間と、前記基礎の底板と床下との間の空間には、夫々エアコンと該エアコンに接続された複数のダクトを配置し、季節に応じていずれか一方の前記エアコンを稼働させて前記複数のダクトから暖冷可能に送風することで、前記外壁の隙間空間を介して空気を循環させて屋内全体が空調されることを特徴とする二重断熱構造家屋。
【００１１】
（２）前記家屋が二階建てであって、稼働させた前記エアコンから暖冷可能に送風された空気が、二階床と一階天井との間に形成された空間を、前記外壁の隙間空間を介して循環することを特徴とする前記（１）記載の二重断熱構造家屋。
【００１２】
（３）前記屋根に設置される前記二重断熱材は野地板と垂木の間に載置され、前記二重断熱材の前記表層断熱材と下地断熱材の間に等間隔で平行に抑え垂木が配置された空間を有し、該空間に外気を取込んで空気が循環するように形成されていることを特徴とする前記（１）または（２）記載の二重断熱構造家屋。
【００１３】
（４）前記小屋裏の床には、前記屋根に設置される前記下地断熱材を連続して載置することで、前記小屋裏に静止した空気を有する空間が形成されることを特徴とする前記（１）または（２）記載の二重断熱構造家屋。
【００１４】
（５）前記外壁と前記基礎に設置される前記二重断熱材は、前記表層断熱材と下地断熱材の間に格子状の胴縁を挟んで分割された空間を有することを特徴とする前項（１）または（２）記載の二重断熱構造家屋。
【考案の効果】
【００１５】
本考案に係る二重断熱構造家屋では、二重断熱材の間に静止した空気層を形成して外気の熱を遮断し、且つ屋内に二台のエアコンを設置して季節の変化に応じていずれか一方のエアコンを作動させ、冷気或いは暖気を循環させる空調を行うことで空気の自然対流を発生させ、効率的に屋内の空調を行う二重断熱構造家屋を提供することができる。
【図面の簡単な説明】
【００１６】
【図１】本考案に係る二重断熱構造家屋の構造と機能を説明する断面図
【図２】外壁の構造を示す分解図
【図３】屋根の構造を示す分解図
【図４】二階天井と小屋裏の床の構造を示す分解図
【図５】二階床と一階天井の構造を示す分解図
【図６】一階床と基礎の構造を示す分解図
【考案を実施するための形態】
【００１７】
以下、本考案を実施するための形態を、実施例により詳しく説明する。
【００１８】
尚、実施例では、家屋は二階建て家屋を例に説明するが、平屋でも三階建ての家屋で有っても良く、二階建て家屋に限定するものではない。
【実施例】
【００１９】
図１を使って、本考案に係る二重断熱構造家屋１に設置された二重断熱材Ｐの配置と、二重断熱構造家屋１の構造と機能を説明する。
【００２０】
本考案の二重断熱構造家屋１は、太陽に晒される屋根３と外壁２と基礎４の一部を、図中に二点鎖線で示した表層断熱材Ｐ１と下地断熱材Ｐ２を積層した二重断熱材Ｐで包み込む構造を有し、二重断熱材Ｐの間には、静止した空気を包含する分割空間Ｇ、或いは流動する空気を通す通気空間Ｊとを備えている。
【００２１】
空気の熱伝達率は、静止した空気の場合は４Ｋｃａｌ／ｃｍ２・ｈ・℃で断熱特性を有し、流動する空気の場合は最大２５０Ｋｃａｌ／ｃｍ２・ｈ・℃で伝熱特性を有する。静止した空気と流動する空気とでは、全く正反対の特性を示すことが知られている。本考案の二重断熱構造家屋１は、この空気の持つ相反する特性を、有効且つ効果的に利用した家屋である。
【００２２】
また、二重断熱構造家屋１に使用される断熱材Ｐは、断熱素材の両面にアルミニウムを溶着或いは蒸着させたアルミ遮熱材である。特に熱反射機能を有する断熱材Ｐであって、例えばアストロホイル（登録商標）や、リフレクティクス（登録商標）等の遮熱シートを二重にして使用している。
【００２３】
アストロホイル（登録商標）の通過熱量は、瓦やスレートの下に載置して実施される遮熱試験（照射熱量１０００ｗ）において、４２〜４６ｗ／ｍ２の値を示し、遮熱材が無い場合の６５〜８７ｗ／ｍ２の通過熱量に比べて、約２０〜４０ｗ／ｍ２以上の遮熱能力を有しており、リフレクティクス（登録商標）も同等の性能を有している。
【００２４】
本考案の二重断熱構造家屋１では、二階天井裏の空間Ｂに冷房用エアコンＡＣ１を設置し、冷気Ｃを任意の方向に送風するため柔軟性のある複数の冷房用ダクト１６ａが接続されている。また、一階床下の空間Ｄにも暖房用エアコンＡＣ２が設置され、暖気Ｈを送風する複数のダクト１６ｂが接続されている。
【００２５】
通常の家屋の構造は、天井や壁や床の内部に多くの隙間や空間が形成されるため、その隙間や空間を介して自然に空気が流れる自然対流が発生する特徴がある。そのため二重断熱構造家屋１では、冷房用エアコンＡＣ１と暖房用エアコンＡＣ２を季節の変化に応じていずれか一方を作動させることで、流動する空気の持つ高い熱伝達機能を有効に利用し、家屋の外壁２の梁５と柱７と土台８で形成された隙間空間Ｅを介して、冷気Ｃ或いは暖気Ｈを屋内に循環させることで空調を行っている。冷気Ｃと暖気Ｈの循環については、図１を用いて後述する。
【００２６】
＜二重断熱構造家屋の構造＞
次に、本考案の二重断熱構造家屋１を構成する外壁２や屋根３及び基礎４等の構造と、二重断熱構造について以下に説明する。
【００２７】
［外壁の構造］
図２は、二重断熱構造家屋の外壁２の要部の構造である。例えば、屋外に接する面にラスモルタル塗りのジョリパット仕上等の外壁材２１を使用し、この外壁材２１を構造用合板２２に張り合わせ、その内側には二重断熱材Ｐを構成する表層断熱材Ｐ１と下地断熱材Ｐ２が、間に枠構造の胴縁２０を挟み込んだ状態で梁５と柱７及び間柱７ａに固定されている。また、梁５と柱７の室内側の内壁材２３の構造は、石膏ボード２３ａと内壁仕上材２３ｂで形成されている。
【００２８】
表層断熱材Ｐ１と下地断熱材Ｐ２の間に胴縁２０を挟み込んだ二重断熱材Ｐは、格子構造の胴縁２０で細分化された分割空間Ｇに静止した空気層を包含し、断熱材Ｐの中の空気の対流を防止して断熱効果を高めている。
【００２９】
また、外壁２の梁５と柱７及び土台８の間に形成された隙間空間Ｅは、家屋の各部屋間や一階と二階との間の熱の循環を確保する空気の通路となり、隙間空間Ｅを介して夫々の場所の温度差を低減する自然対流を発生させることで、空気に蓄えられた冷気Ｃや暖気Ｈを伝達するという流動する空気による伝熱効果を発揮させている。
【００３０】
［屋根構造］
図３は、二重断熱構造家屋の屋根３の構造である。
【００３１】
二重断熱構造家屋の屋根３は、トラス構造に組まれた小屋組で棟木６と梁５との間に等間隔で斜めに渡された複数の垂木１１の上に、二重断熱材Ｐを載置し、その上面に野地板２５、防水処理用ルーフィング２６、スレートや瓦等の屋根仕上材２７が設置されている。
【００３２】
二重断熱材Ｐは表層断熱材Ｐ１と下地断熱材Ｐ２からなり、垂木１１の上に幅の狭い下地断熱材Ｐ２を敷き、その上に等間隔で配置した抑え垂木１１ａを挟み込んで表層断熱材Ｐ１を載置した構造となっている。特に、表層断熱材Ｐ１は垂木１１の端まで敷き詰められて屋根全体を覆うように設置され、一方の下地断熱材Ｐ２は垂木１１と梁５の接合部までカバーする大きさで、表層断熱材Ｐ１と下地断熱材Ｐ２で大きさが異なる構造である。
【００３３】
軒下の垂木１１と梁５の接合部は、抑え垂木１１ａの高さと設置幅の大きさで、二重断熱材Ｐの表層断熱材Ｐ１と下地断熱材Ｐ２の間に複数の開口部１１ｂが形成され、その開口部１１ｂから外気Ｗを取込んでいる。二重断熱材Ｐの間に平行に配置した複数の抑え垂木１１ａで分離された通気空間Ｊは、分離された空間相互の空気の対流が妨げられることによって、屋根全体への熱の拡散を防いでいる。
【００３４】
また、梁５から棟木６に向って並列に配置された通気空間Ｊには、軒下の表層断熱材Ｐ１と下地断熱材Ｐ２の間の複数の開口部１１ｂから、屋外を吹く自然の外気Ｗを取込むことで、抑え垂木１１ａで仕切られた空間に停滞する熱を自然の外気Ｗで換気し、二重断熱材Ｐの間の空間に熱が停滞することを防いでいる。
【００３５】
［二階天井と小屋裏の構造］
図４は、二重断熱構造家屋１の二階天井１４と小屋裏の床１２の構造である。
【００３６】
二階天井裏の構造は、梁５に欠込み５ａを入れて根太９を組込むことで根太９と梁５を同じ高さにし、その上面に構造用合板を張り付け小屋裏の床１２を形成し、更に小屋裏の床１２全面を覆うように下地断熱材Ｐ２が載置されている。図１に示すように屋根３の垂木１１と梁５の接合部において、小屋裏の下地断熱材Ｐ２は、屋根３の下地断熱材Ｐ２と隙間なく接続され、外壁２の断熱材Ｐとも接続されている。そのため小屋裏の空間Ａは、屋根３の下地断熱材Ｐ２が連続して小屋裏の床１２の全面を覆うように密閉され、該小屋裏の空間Ａに閉じ込められた空気層を静止状態に保つことによって断熱効果を発揮させている。
【００３７】
また、二階天井１４の構造は、根太９に取付けられた複数の吊木１０に固定されている野縁１９に、天井下地の構造合板１４ａと化粧耐火ボード１４ｂが張り付けられている。そのため小屋裏の床１２と吊木１０で支えられた二階天井１４の間には、二階天井裏の空間Ｂが形成される。
【００３８】
この二階天井裏の空間Ｂには、小屋裏の床１２の構造用合板の一部を切取って、冷房用エアコンＡＣ１が設置されている。小屋裏に突出した冷房用エアコンＡＣ１の上部は、床材と同じ構造用合板で形成された着脱可能な箱１２ａを被せ、突出した箱１２ａの全面を小屋裏の床１２全面を覆う下地断熱材Ｐ２で被覆して、小屋裏の空間Ａと冷房用エアコンＡＣ１及び二階天井裏の空間Ｂとを隔離している。冷房用エアコンＡＣ１のフィルタ交換等の保守点検作業は、箱１２ａを取り外して小屋裏から実施することができる。
【００３９】
冷房用エアコンＡＣ１に接続された複数の冷房用ダクト１６ａは、吊木１０に固定された二階天井１４の構造用合板１４ａ上面に配管され、冷房用ダクト１６ａから送風される冷気Ｃが二階天井裏の空間Ｂ全体を冷却している。二階天井裏の空間Ｂに拡散した冷気Ｃは、比重が重いため、空気の自然対流によって外壁２の隙間空間Ｅを介して屋内全体に降下すると共に、屋内の熱い空気の上昇を伴う空気の循環を発生させることで、冷気Ｃを屋内の隅々まで拡散させている。
【００４０】
［二階床と一階天井の構造］
図５は、二重断熱構造家屋１の二階床１５と一階天井１７の構造である。
【００４１】
二階床１５の構造は、梁５の上に根太９を配置し、根太９の上面に構造用合板１５ａ、耐火ボート１５ｂ及びフロア材１５ｃを張り付けて二階床１５を形成している。一階天井１７は、二階天井１４と同様に根太９に取付けられた複数の吊木１０に固定された枠構造の野縁１９に天井下地の構造合板１７ａと化粧耐火ボード１７ｂが張り付けられている。そのため、二階床１５と一階天井１７の間には、一階天井裏の空間Ｆが形成される。
【００４２】
この一階天井裏の空間Ｆを、外壁２の隙間空間Ｅから流れ込んできた冷気Ｃ或いは暖気Ｈが伝搬する。一階天井裏の空間Ｆに広がった冷気Ｃは一階天井１７から降下し、或いは暖気Ｈは二階床１５から上昇して、冷房或いは暖房時の熱の循環が発生して室内に拡散する。
【００４３】
［基礎の構造］
図６は、二重断熱構造家屋１の基礎４と一階床１８の構造である。
【００４４】
ベタ基礎構造の基礎４の立上り４ａに載置される土台８は、外壁２の二重断熱材Ｐの表層断熱材Ｐ１と下地断熱材Ｐ２で被覆された状態で、立上り４ａの上面に固定される。被覆された土台８の上には根太９を配置し、その根太９の上面に構造用合板１８ｂとフロア材１８ｃを張り付けて一階床１８を形成している。土台８の上に配置された根太９は、基礎４の底板４ｂに固定されている複数の金属製束１３に支持されている。そのため、底板４ｂと一階床１８との間には、一階床下の空間Ｄが形成される。
【００４５】
基礎４の立上り４ａの内側とコンクリート張りの底板４ｂの上面は、全面を下地断熱材Ｐ１で被覆され、一階床下の空間Ｄと基礎４とを隔離している。特に、
二重断熱構造家屋１のベタ基礎構造では、土台８を設置する基礎４の立上り４ａの内側と、立上り４ａから約１ｍの範囲の底板４ｂの領域に、断熱材を重ねた積層部Ｋが形成されている。積層部Ｋを表層断熱材Ｐ１と下地断熱材Ｐ２を重ねた二重断熱材Ｐにすることで、外気に晒された基礎４の立上り４ａからの熱の伝達を防ぎ、一階床下の空間Ｄの温度変化を防止している。尚、積層部Ｋの幅は、仕様によって異なるため１ｍに限定するものではない。
【００４６】
一階床下の空間Ｄには、暖房用エアコンＡＣ２が土台８或いは根太９にボルト等の固定金具２４で吊下げられた状態で設置されている。そのため、暖房用エアコンＡＣ２の下部の基礎４には、防水処理がされて内側を下地断熱材Ｐ２で被覆された点検溝４ｃが形成され、当該点検溝４ｃに作業者が入って暖房用エアコンＡＣ２のフィルタ交換やクリーニング等の保守点検作業を行うことができる。
【００４７】
一階床下の空間Ｄに設置された暖房用エアコンＡＣ２には、複数の暖房用ダクト１６ｂ接続され、下地断熱材Ｐ２で被覆された底板４ｂの上面に配管され、暖房用ダクト１６ｂから送風される暖気Ｈが一階床下の空間Ｄ全体を暖房すると共に、一階床１８に形成された吹出し口１８ａから一階の室内に放出される。また、一階床１８には断熱機能を持つ耐火ボートが挿入されていないため、一階床下の空間Ｄが暖められることで一階床１８面全体も同時に暖められ、床暖房の効果を発揮する。
【００４８】
＜二重断熱構造家屋の特徴＞
本考案の二重断熱構造家屋１の特徴は、熱伝達特性に関する空気の持つ相反する特性を、有効且つ効果的に利用するための家屋である。
【００４９】
そのため二重断熱材Ｐは、表層断熱材Ｐ１と下地断熱材Ｐ２に断熱素材の両面にアルミニウムを溶着或いは蒸着させたアルミ遮熱材が使用され、更に表層断熱材Ｐ１と下地断熱材Ｐ２の間に空気層を形成した構造を備えている。
【００５０】
本考案の二重断熱構造家屋１において、断熱材を二重にする第一の目的は、二重の断熱材と該断熱材の間に形成される静止した空気層の持つ断熱機能との相乗効果によって、断熱機能を更に高めることにある。
【００５１】
外壁２の構造は、図２に示すように二重断熱材Ｐの表層断熱材Ｐ１と下地断熱材Ｐ２の間に、格子状に組まれた胴縁２０を配置して分割空間Ｇを形成し、断熱材Ｐの間の空気の対流を防止する静止した空気層を形成している。
【００５２】
また、太陽に晒される屋根３の断熱構造は、図３に示すように二重断熱材Ｐの間の通気空間Ｊに自然の外気Ｗを呼び込んで熱の換気を行うと共に、更に小屋裏の空間Ａを下地断熱材Ｐ２で密閉して静止した空気層を包含させて断熱空間を形成するという、空気の持つ相反する特性を組合せた断熱構造を有している。
【００５３】
本考案の二重断熱構造家屋１において断熱材を二重にする第二の目的は、外気と隔離された屋内空間に、冷気Ｃや暖気Ｈを帯びた空気を利用して自然対流による空気の循環を発生させることである。
【００５４】
二重断熱構造家屋１では、外壁２の隙間空間Ｅを二台のエアコンから送風された空気が循環する通路に利用することで、自然対流により熱が伝達されて家屋の各部屋或いは一階と二階の間の温度差を低減している。
【００５５】
空気は、冷気Ｃや暖気Ｈを帯びることで比重に違いが発生するため、その比重の違いにより冷気Ｃを帯びた空気は下降し、暖気Ｈを帯びた空気は上昇する。その結果、伝熱効果の高い流動する空気の循環が発生し、効率的に屋内の空調を行うことができる。
【００５６】
更に木造家屋は、天井や壁や床の内部構造に多くの隙間が形成されているため、その隙間空間Ｅを介して冷気Ｃや暖気Ｈを帯びた空気が循環するように自然対流を発生させることができる。
【００５７】
＜冷気と暖気の循環＞
冷気Ｃと暖気Ｈの循環について、図１を使って以下に説明する。
【００５８】
冷気Ｃの循環は、図１に示すように二階天井裏の空間Ｂに設置された冷房用エアコンＡＣ１を稼働させ、当該冷房用エアコンＡＣ１に接続された複数の冷房用ダクト１６ａから冷気Ｃが放出されることで発生する。
【００５９】
比重の重い冷気Ｃを帯びた空気は、二階天井裏の空間Ｂ全体を冷却すると共に、二階室内に冷気Ｃが降下して自然対流が発生する。また、冷気Ｃを帯びた空気は、外壁２の梁５と柱７で形成された隙間空間Ｅを伝搬し、一階天井裏の空間Ｆ全体に拡散する。一階室内は、一階天井１７が冷却されて比重の重い冷気Ｃが下降し、一階室内に空気の対流が発生する。更に、冷気Ｃを帯びた空気が、外壁２の隙間空間Ｅを伝搬し一階床下の空間Ｄに広がることで、断熱処理された屋内全体が冷気Ｃを帯びた空気の循環によって冷房される。
【００６０】
次に、暖気Ｈの循環は、図１に示すように一階床下の空間Ｄに設置された暖房用エアコンＡＣ２を稼働させ、接続された複数の暖房用ダクト１６ｂから暖気Ｈが放出されることで発生する。
【００６１】
下地断熱材Ｐ２で被覆された底板４ｂの上面に配管された暖房用ダクト１６ｂから放出される暖気Ｈは、一階床下の空間Ｄ全体を暖房すると共に、一階床１８に形成された吹出し口１８ａから一階室内に暖気Ｈを放出する。また、一階床１８面も、一階床下の空間Ｄが暖められることで床面全体が暖められて床暖房の効果を発揮し、床面から暖気Ｈが上昇する。
【００６２】
一階室内は、比重の軽い暖気Ｈを帯びた空気が上昇することで、一階室内に空気の対流が発生する。暖気Ｈを帯びた空気は、一階床下の空間Ｄから外壁２の土台８と柱７の間の隙間空間Ｅを伝搬して上昇し、外壁２の内側全体に広がっていく。
【００６３】
隙間空間Ｅを上昇した暖気Ｈは、一階天井裏の空間Ｆを伝搬し二階床１５を温め、二階の床面からも暖気Ｈが上昇し二階室内に対流を発生させて暖気Ｈが広がっていく。更に外壁２の隙間空間Ｅを上昇した暖気Ｈが、二階天井裏の空間Ｂに広がることで、断熱処理された屋内全体が暖気Ｈを帯びた空気の循環によって暖房される。
【００６４】
以上、本考案の二重断熱構造家屋は、空気の循環を断熱処理された屋内で発生させることで、流動する空気の持つ高い熱伝達機能を有効に利用し、冷房用エアコンと暖房用エアコンを季節の変化に応じていずれか一方のエアコンを稼働させ、発生した冷気或いは暖気を循環させて空調を行うことができる。
【符号の説明】
【００６５】
ＡＣ１  冷房用エアコン
ＡＣ２  暖房用エアコン
Ａ      小屋裏の空間
Ｂ      二階天井裏の空間
Ｃ      冷気
Ｄ      一階床下の空間
Ｅ      隙間空間
Ｆ      一階天井裏の空間
Ｇ      分割空間
Ｈ      暖気
Ｊ      通気空間
Ｋ      積層部
Ｐ      二重断熱材
Ｐ１    表層断熱材
Ｐ２    下地断熱材
Ｗ      外気
１      二重断熱構造家屋
２      外壁
３      屋根
４      基礎
５      梁
６      棟木
７      柱
８      土台
９      根太
１０    吊木
１１    垂木
１２    小屋裏の床
１３    束
１４    二階天井
１５    二階床
１６    ダクト
１７    一階天井
１８    一階床
１９    野縁
２０    胴縁
２１    外壁仕上材
２２    構造用合板
２３    内壁材
２４    固定金具
【図１】
0003180823.tif 000003
【図２】
0003180823.tif 000004
【図３】
0003180823.tif 000005
【図４】
0003180823.tif 000006
【図５】
0003180823.tif 000007
【図６】
0003180823.tif 000008